(57)【要約】【課題】  低コストで製造でき、巻取体としたときに接着シートに欠点が形成されることを防止することのできる積層シート、その巻取体およびそれらの製造方法、ならびに低コストで製造でき、接着剤層表面の平滑性を保持することのできる積層シート、その巻取体およびそれらの製造方法を提供する。【解決手段】  長尺の剥離シート２Ａと、接着剤層３Ａと、基材４Ａとを積層してなる積層体を作製し、剥離シート２Ａを貫通しないように基材４Ａおよび接着剤層３Ａをカット（ハーフカット）し、基材４Ａおよび接着剤層３Ａをカバーシート部５１Ａと枕部５２Ａと残部５３Ａとに分割する。そして、残部５３Ａを剥離除去した後、剥離シート２Ａを貫通しないように枕部５２Ａの外側端部をハーフカットし、当該ハーフカットによる隆起部６Ａを形成する。【選択図】  図１
2006224581.tif 000002
【特許請求の範囲】
【請求項１】
長尺の剥離シートと、
前記剥離シートに積層された、所定の形状を有する接着シートと、
前記剥離シートにおいて前記接着シートとは異なる位置に設けられた補助シートと
を備えた積層シートであって、
前記補助シートの表面側または前記剥離シートの裏面側において前記補助シートに対応する部位にはハーフカットによる隆起部が形成されており、もって前記隆起部を含む前記補助シートの部分の厚さは前記接着シートの部分の厚さよりも厚くなっている
ことを特徴とする積層シート。
【請求項２】
前記補助シートは、前記接着シートと同一の層構成を有することを特徴とする請求項１に記載の積層シート。
【請求項３】
前記接着シートは、前記剥離シートの幅方向中央部に複数連続的に設けられており、前記補助シートは、前記剥離シートの幅方向両側部に設けられていることを特徴とする請求項１または２に記載の積層シート。
【請求項４】
長尺の剥離シートと、
前記剥離シートに積層された接着剤層と、
前記接着剤層に積層された基材と
を備えた積層シートであって、
前記基材の表面側または前記剥離シートの裏面側において、前記接着剤層の主使用部以外の部分に対応する部分には、ハーフカットによる隆起部が形成されている
ことを特徴とする積層シート。
【請求項５】
前記接着剤層の幅方向中央部が前記接着剤層の主使用部となっており、前記隆起部は前記基材または前記剥離シートの幅方向両端部に形成されていることを特徴とする請求項４に記載の積層シート。
【請求項６】
前記隆起部は、その平面形状が積層シートの長手方向に対して角度を有するように形成されていることを特徴とする請求項１〜５のいずれかに記載の積層シート。
【請求項７】
請求項１〜６のいずれかに記載の積層シートを巻き取ってなる積層シートの巻取体。
【請求項８】
長尺の剥離シートと、前記剥離シートに積層された、所定の形状を有する接着シートと、前記剥離シートにおいて前記接着シートとは異なる位置に設けられた補助シートとを備えた積層シートを作製し、
任意の段階で前記補助シートが位置する部位または前記補助シートに該当する部位をハーフカットして、前記補助シートの表面側または前記剥離シートの裏面側に隆起部を形成し、もって前記隆起部を含む前記補助シートの部分の厚さを前記接着シートの部分の厚さよりも厚くする
ことを特徴とする積層シートの製造方法。
【請求項９】
長尺の剥離シートと、接着剤層と、基材とをその順で積層し、得られた積層体をハーフカットして不要部を剥離除去し、所定の形状を有する接着シートと補助シートとを形成し、
任意の段階で前記補助シートが位置する部位または前記補助シートに該当する部位をハーフカットして、前記補助シートの表面側または前記剥離シートの裏面側に隆起部を形成する
ことを特徴とする積層シートの製造方法。
【請求項１０】
長尺の剥離シートと、接着剤層と、基材とをその順で積層し、
任意の段階で前記接着剤層の主使用部以外の部分が位置する部位または前記接着剤層の主使用部以外の部分に該当する部位をハーフカットして、前記基材の表面側または前記剥離シートの裏面側に隆起部を形成する
ことを特徴とする積層シートの製造方法。
【請求項１１】
請求項８〜１０のいずれかに記載の積層シートの製造方法によって積層シートを製造した後、得られた積層シートを巻き取ることを特徴とする積層シートの巻取体の製造方法。
【発明の詳細な説明】
【技術分野】
【０００１】
本発明は、剥離シートに所定の形状を有する接着シートが積層されてなる積層シート、および長尺の剥離シートと接着剤層と基材とが積層されてなる積層シートに関するものであり、特に、巻取体としたときに、接着シートに形成され得る欠点を軽減することのできる積層シート、および接着剤層表面の平滑性を保持することのできる積層シートに関するものである。
【背景技術】
【０００２】
剥離シート上に粘着ラベルを積層した従来の積層シートを図１３に示す（特許文献１，特許文献２）。近年、光ディスクの受光面にカバーシートを積層するために、このような積層シート１Ｐが光ディスクの製造に用いられるようになってきた。従来の積層シート１Ｐは、図１３に示すように、長尺の剥離シート２Ｐと、剥離シート２Ｐの長手方向に連続的に設けられたカバーシート部５１Ｐ（粘着シート）とから構成される。カバーシート部５１Ｐは、粘着剤層３Ｐと光透過性の基材４Ｐとからなり、光ディスクと同じ形状を有する。
【０００３】
上記積層シート１Ｐは、ロール状に巻き取られ、巻取体の状態で運搬・保管されるとともに、巻取体から引き出されて使用される。このように積層シート１Ｐを巻取体とした場合、カバーシート部５１Ｐには他のカバーシート部５１Ｐが巻き重なるが、このとき、カバーシート部５１Ｐには、巻圧により図１４に示すような他のカバーシート部５１Ｐの輪郭の痕（円弧状の痕）が付いてしまう。
【０００４】
カバーシート部５１Ｐに上記のような円弧状の痕が付くことを防止するために、巻圧を低くして積層シート１Ｐを巻き取ることも考えられるが、巻圧を低くして巻き取った巻取体は、崩れ易くなってしまうという問題がある。
【０００５】
また、積層シート１Ｐを巻き取る際に、巻き重なる積層シート１Ｐの間に微細なゴミ等の異物（通常５〜５０μｍの径）を挟み込んでしまう場合がある。このように異物を挟み込んだ状態で積層シート１Ｐを巻き取った場合、カバーシート部５１Ｐには異物による凹みが形成されることとなる。
【０００６】
カバーシート部５１Ｐに上記のような円弧状の痕や凹みが形成された場合、従来の光ディスクでは大きな問題とならなかったが、大容量／高記録密度の次世代光ディスク（Ｂｌｕ−ｒａｙ  Ｄｉｓｃ）では、上記円弧状の痕や凹みが欠点となり、それに起因してデータの読み書きにエラーが発生するおそれがある。
【０００７】
一方、長尺の剥離シートと接着剤層と基材とが積層されてなる積層シートも、ロール状に巻き取られ、巻取体の状態で運搬・保管されるとともに、巻取体から引き出され、所望の形状に打ち抜かれて使用されることがある。
【０００８】
しかしながら、上記積層シートを巻取体にした場合、積層シートには巻圧がかかるため、他の層に比較して軟らかい接着剤層は、巻圧によって経時的に変形し、主として接着剤層表面の平滑性が失われることに起因して、いわゆるゆず肌とよばれる状態になり、接着剤層に微小な厚みむらが発生するという問題がある。かかる積層シートから打ち抜いた接着シートを、例えば光ディスクのカバーシート等として使用する場合には、接着剤層の厚みむらに起因して、得られる光ディスクのデータの読み書きにエラーが発生するおそれがある。
【０００９】
また、ゆず肌になった接着剤層を、例えば、ＰＤＡ（Personal Digital Assistants）等のディスプレイ用の反射防止フィルムの接着に使用した場合、ディスプレイの透明性が損なわれたり、画像の鮮明性が低下するという問題もある。
【００１０】
上記問題を解決するために、接着シートよりも厚い保護材を設けた積層シート（特許文献３）、および接着剤層の主使用部以外の部分における基材上に保護材を設けた積層シート（特許文献４）が提案された。これらの積層シートによれば、巻取体としたときに、保護材がスペーサとして機能し、接着シートに欠点が形成されることを防止すること、または接着剤層表面の平滑性を保持することが可能である。
【特許文献１】実公平６−１８３８３号公報
【特許文献２】特開平８−３１６１７５号公報
【特許文献３】特開２００４−３５８３６号公報
【特許文献４】特開２００４−５１９１４号公報
【発明の開示】
【発明が解決しようとする課題】
【００１１】
しかしながら、上記積層シートにおいては、保護材を形成するために別途保護シートや塗料等が必要になるため、材料コストがかかるとともに、保護材形成工程が煩雑で製造コストが高くなるという問題がある。
【００１２】
本発明は、このような実状に鑑みてなされたものであり、低コストで製造でき、巻取体としたときに接着シートに欠点が形成されることを防止することのできる積層シート、その巻取体およびそれらの製造方法、ならびに低コストで製造でき、接着剤層表面の平滑性を保持することのできる積層シート、その巻取体およびそれらの製造方法を提供することを目的とする。
【課題を解決するための手段】
【００１３】
上記目的を達成するために、第１に本発明は、長尺の剥離シートと、前記剥離シートに積層された、所定の形状を有する接着シートと、前記剥離シートにおいて前記接着シートとは異なる位置に設けられた補助シートとを備えた積層シートであって、前記補助シートの表面側または前記剥離シートの裏面側において前記補助シートに対応する部位にはハーフカットによる隆起部が形成されており、もって前記隆起部を含む前記補助シートの部分の厚さは前記接着シートの部分の厚さよりも厚くなっていることを特徴とする積層シートを提供する（請求項１）。なお、剥離シートに設けられる補助シートは、接着シートと同じ側に設けられてもよいし、反対側に設けられてもよい。
【００１４】
ここで、本明細書における「基材」は、所望の材料からなるシートであってもよいし、剥離シートであってもよい。また、本明細書における「剥離シートの裏面」とは、剥離シートにおいて接着シートまたは接着剤層が積層されない側の面（一般には非剥離処理面）をいう。
【００１５】
なお、「ハーフカット」とは、一般的には、対象物が基材／粘着剤層／剥離材からなる積層体である場合、その実際の使用部分である基材／粘着剤層のみを切断し、剥離材は切断しない加工方法をいい、通常、基材／粘着剤層を確実に切断するために、剥離材の途中まで刃が入れられるが、本明細書における「ハーフカット」はこれに限定されるものではなく、剥離材を切断することなく、かつ本発明の目的を達成し得る限り、剥離材まで刃が至らなくてもよいし、基材／粘着剤層の途中までのみ刃が入れられてもよい。
【００１６】
上記発明（請求項１）に係る積層シートは、保護材を必要とすることなく、低コストで簡易に製造することができる。かかる積層シートにおいては、巻取体としたときに、隆起部がスペーサとして機能し、接着シートの表面とその上に巻き重なった剥離シートの裏面との間には間隙が生じる。そのため、接着シートには、他の接着シートの輪郭部分が強く押し付けられることが防止され、したがって、接着シートに巻圧による痕が付くことが抑制される。また、積層シートを巻き取る際に、巻き重なる積層シートの間に微細なゴミ等の異物を挟み込んでしまった場合であっても、接着シートの表面と剥離シートの裏面との間には間隙が存在するため、接着シートに異物による凹みが形成されることが抑制される。このように、上記発明（請求項１）によれば、積層シートを巻取体としたときに接着シートに形成され得る欠点を飛躍的に軽減することができる。
【００１７】
上記発明（請求項１）において、前記補助シートは、前記接着シートと同一の層構成を有することが好ましい（請求項２）。かかる構成を有する積層シートは、同一形状を有する複数の層からなる積層体をハーフカットすることにより、容易に製造することができる。
【００１８】
上記発明（請求項１，２）において、前記接着シートは、前記剥離シートの幅方向中央部に複数連続的に設けられており、前記補助シートは、前記剥離シートの幅方向両側部に設けられていることが好ましい（請求項３）。積層シートをこのような構成にすることにより、積層シートを巻取体としたときに接着シートに形成され得る欠点を効果的に軽減することができる。
【００１９】
第２に本発明は、長尺の剥離シートと、前記剥離シートに積層された接着剤層と、前記接着剤層に積層された基材とを備えた積層シートであって、前記基材の表面側または前記剥離シートの裏面側において、前記接着剤層の主使用部以外の部分に対応する部分には、ハーフカットによる隆起部が形成されていることを特徴とする積層シートを提供する（請求項４）。なお、本明細書における「接着剤層の主使用部」とは、接着剤層表面が平滑性を必要とする部分をいう。
【００２０】
上記発明（請求項４）に係る積層シートは、保護材を必要とすることなく、低コストで簡易に製造することができる。かかる積層シートにおいては、巻取体としたときに、隆起部がスペーサとして機能し、接着剤層の主使用部に該当する基材の表面とその上に巻き重なった剥離シートの裏面との間には間隙が生じる。そのため、接着剤層の主使用部には、巻き重なる積層シートが強く押し付けられることが防止される。したがって、接着剤層の主使用部は、巻圧によってその接着剤層表面がゆず肌になることが抑制され、接着剤層の主使用部における接着剤層表面の平滑性を保持することができる。また、積層シートを巻き取る際に、巻き重なる積層シートの間に微細なゴミ等の異物を挟み込んでしまった場合であっても、基材の表面と剥離シートの裏面との間には間隙が存在するため、基材および接着剤層に異物による凹みが形成されることが抑制される。
【００２１】
上記発明（請求項４）においては、前記接着剤層の幅方向中央部が前記接着剤層の主使用部となっており、前記隆起部は前記基材または前記剥離シートの幅方向両端部に形成されていることが好ましい（請求項５）。積層シートをこのような構成にすることにより、積層シートを巻取体としたときに、接着剤層表面の平滑性を効果的に保持することができる。
【００２２】
上記発明（請求項１〜５）において、前記隆起部は、その平面形状が積層シートの長手方向に対して角度を有するように形成されていることが好ましい（請求項６）。かかる構成にすることにより、隆起部に起因する巻取体の巻き崩れを防止することができる。
【００２３】
第３に本発明は、前記積層シート（請求項１〜６）を巻き取ってなる積層シートの巻取体を提供する（請求項７）。
【００２４】
第４に本発明は、長尺の剥離シートと、前記剥離シートに積層された、所定の形状を有する接着シートと、前記剥離シートにおいて前記接着シートとは異なる位置に設けられた補助シートとを備えた積層シートを作製し、任意の段階で前記補助シートが位置する部位または前記補助シートに該当する部位をハーフカットして（補助シート表面側から入刃してもよいし、剥離シート裏面側から入刃してもよい。）、前記補助シートの表面側または前記剥離シートの裏面側に隆起部を形成し、もって前記隆起部を含む前記補助シートの部分の厚さを前記接着シートの部分の厚さよりも厚くすることを特徴とする積層シートの製造方法を提供する（請求項８）。
【００２５】
第５に本発明は、長尺の剥離シートと、接着剤層と、基材とをその順で積層し、得られた積層体をハーフカットして不要部を剥離除去し、所定の形状を有する接着シートと補助シートとを形成し、任意の段階で前記補助シートが位置する部位または前記補助シートに該当する部位をハーフカットして（基材表面側から入刃してもよいし、剥離シート裏面側から入刃してもよい。）、前記補助シートの表面側または前記剥離シートの裏面側に隆起部を形成することを特徴とする積層シートの製造方法を提供する（請求項９）。
【００２６】
第６に本発明は、長尺の剥離シートと、接着剤層と、基材とをその順で積層し、任意の段階で前記接着剤層の主使用部以外の部分が位置する部位または前記接着剤層の主使用部以外の部分に該当する部位をハーフカットして（基材表面側から入刃してもよいし、剥離シート裏面側から入刃してもよい。）、前記基材の表面側または前記剥離シートの裏面側に隆起部を形成することを特徴とする積層シートの製造方法を提供する（請求項１０）。
【００２７】
上記発明（請求項８）によれば、上記積層シート（請求項１〜３）を製造することができ、特に、上記発明（請求項９）によれば、上記積層シート（請求項１〜３）を効率的に製造することができる。また、上記発明（請求項１０）によれば、上記積層シート（請求項４，５）を製造することができる。
【００２８】
第７に本発明は、前記積層シートの製造方法（請求項８〜１０）によって積層シートを製造した後、得られた積層シートを巻き取ることを特徴とする積層シートの巻取体の製造方法を提供する（請求項１１）。
【発明の効果】
【００２９】
本発明の積層シートは、保護材を必要とすることなく、低コストで簡易に製造することができる。かかる本発明の積層シートによれば、巻取体としたときに、接着シートに形成され得る欠点を軽減すること、または接着剤層表面の平滑性を保持することができる。また、本発明の積層シートの製造方法によれば、保護材を必要とすることなく、低コストで簡易に、巻取体としたときに接着シートに形成され得る欠点を軽減することのできる積層シートおよび接着剤層表面の平滑性を保持することのできる積層シートを製造することができる。
【発明を実施するための最良の形態】
【００３０】
以下、本発明の実施形態について図面を参照して説明する。
〔第１の実施形態〕
第１の実施形態では、光ディスクの製造工程で記録層にカバーシートを接着するために、またはスタンパーの凹凸パターンを転写するために使用される積層シートを例にとって説明するが、本発明はこれに限定されるものではなく、種々の積層シートに適用することができる。
【００３１】
図１（ａ）〜（ｄ）は本発明の第１の実施形態に係る積層シートの製造方法を示す断面図、図２は同実施形態に係る積層シートの平面図、図３は同実施形態に係る積層シートにおける隆起部の拡大図、図４は同実施形態に係る積層シートの製造に使用するダイカットロールの斜視図、図５は同実施形態に係る積層シートの斜視図、図６は同実施形態に係る積層シートの巻取体の斜視図である。
【００３２】
本実施形態に係る積層シート１Ａを製造するには、最初に図１（ａ）に示すように、長尺の剥離シート２Ａと、接着剤層３Ａと、基材４Ａとを積層してなる積層体を作製する。
【００３３】
剥離シート２Ａとしては、従来公知のものを使用することができ、例えば、ポリエチレンテレフタレートフィルム、ポリプロピレンフィルム等の樹脂フィルムまたはグラシン紙、クレーコート紙、ラミネート紙（主にポリエチレンラミネート紙）等の紙をシリコーン系剥離剤等で剥離処理したものを使用することができる。剥離シート２Ａの厚さは、通常１０〜２００μｍ程度であり、好ましくは２０〜１００μｍ程度である。剥離シート２Ａの剥離処理面の表面粗さ（Ｒａ）は、接着剤層３Ａに付与すべき平滑性に応じて設定し、例えば、積層シートが光ディスクのカバーシートに用いられる場合は、通常０．５μｍ以下であり、好ましくは０．１μｍ以下である。
【００３４】
接着剤層３Ａを構成する接着剤としては、通常感圧接着剤（粘着剤）が用いられるが、これに限定されるものではなく、例えばエネルギー線硬化性の接着剤であってもよい。感圧接着剤の種類としては、アクリル系、ポリエステル系、ウレタン系、ゴム系、シリコーン系等のいずれであってもよく、いわゆる粘接着剤であってもよい。
【００３５】
接着剤層３Ａを形成するには、例えば、接着剤層３Ａを構成する接着剤と、所望によりさらに溶媒とを含有する塗布剤を調製し、キスロールコーター、リバースロールコーター、ナイフコーター、ロールナイフコーター、ダイコーター等の塗工機によって剥離シート２Ａの剥離処理面に塗布して乾燥させればよい。そして、このようにして形成した接着剤層３Ａの上に基材４Ａを圧着する。接着剤層３Ａの厚さは、通常５〜１００μｍ程度であり、好ましくは１０〜３０μｍ程度である。
【００３６】
本実施形態における基材４Ａとしては、光ディスク記録層のカバーシートとして光ディスクの受光面を構成するものを例示することができる。このような基材４Ａの材料としては、情報読み取りのための光の波長域に対し十分な光透過性を有するものであればよいが、光ディスクを容易に製造するために、剛性や柔軟性が適度にあるものが好ましく、光ディスクの保管のために、温度に対して安定なものであるのが好ましい。このような材料としては、例えば、ポリカーボネート、ポリメチルメタクリレート、ポリスチレン等の樹脂を用いることができる。
【００３７】
基材４Ａの線膨張係数は、高温で光ディスクが反りを起こさないよう、光ディスク基板の線膨張係数とほぼ同じであるのが好ましい。例えば、光ディスク基板がポリカーボネート樹脂からなる場合には、基材４Ａも同じポリカーボネート樹脂からなるのが好ましい。
【００３８】
基材４Ａの厚さは、光ディスクの種類や光ディスクのその他の構成部位の厚さに応じて決定されるが、通常は２５〜２００μｍ程度であり、好ましくは５０〜１００μｍ程度である。
【００３９】
なお、基材４Ａは多層構造であってもよく、例えば、ポリカーボネートフィルムの上にハードコート層が形成されているものであってもよい。
【００４０】
また、本実施形態における基材４Ａとして、前述した剥離シート２Ａと同様のものを用いることができる。この場合、基材４Ａの剥離処理面を、剥離シート２Ａに積層された接着剤層３Ａに貼り合わせる。このような積層シートによれば、接着剤層３Ａから剥離シート２Ａを剥離し、露出した接着剤層３Ａを光ディスクの記録層に貼り付けた後、接着剤層３Ａから基材４Ａを剥離して、その接着剤層３Ａに他の基材（光ディスクの記録層を保護するカバーシート基材）を貼り合わせることができる。また、接着剤層３Ａが粘接着剤からなる場合、露出した接着剤層３Ａに、スタンパーを用いて案内溝やピット等の凹凸パターンを設けることも可能である。
【００４１】
図１（ａ）に示すように剥離シート２Ａ、接着剤層３Ａおよび基材４Ａを積層した後、図１（ｂ）に示すように、剥離シート２Ａを貫通しないように基材４Ａおよび接着剤層３Ａをカット（ハーフカット）し、基材４Ａおよび接着剤層３Ａをカバーシート部５１Ａ（接着シート）と枕部５２Ａ（本発明の補助シートに該当）と残部５３Ａとに分割するとともに、カバーシート部５１Ａの中心部を打ち抜いてセンターホール部５４Ａを形成する。上記ハーフカットおよび打ち抜きは、常法によって行えばよく、例えば、打ち抜き装置等を使用して行うことができる。
【００４２】
カバーシート部５１Ａの平面形状は、図２に示すように、光ディスクの形状と同じ円盤状になっている。枕部５２Ａの平面形状は、図２に示すように、カバーシート部５１Ａの外周に沿って積層体の側端部側に凹むとともに、カバーシート部５１Ａの相互間においては、カバーシート部５１Ａの相互間に入り込むように突出して、全体として波状となっている。
【００４３】
次に、図１（ｃ）に示すように、上記残部５３Ａを剥離除去した後、図１（ｄ）および図３に示すように、剥離シート２Ａを貫通しないように枕部５２Ａの外側端部をハーフカットし、当該ハーフカットによる隆起部６Ａを形成する。
【００４４】
図３に示すように、カット刃Ｃを枕部５２Ａに入刃すると、そのカット刃Ｃによって退けられた部分が、カット刃Ｃの両側にて基材４Ａの表面側に盛り上がるように変形し、これにより隆起部６Ａが形成される。
【００４５】
隆起部６Ａの高さｈ（基材４Ａの平面部表面から隆起部６Ａの頂点までの高さ）は、５〜１００μｍであることが好ましく、特に１０〜５０μｍであることが好ましい。隆起部６Ａの高さｈが５μｍ未満では、本発明の効果を十分に得ることができず、隆起部６Ａの高さｈが１００μｍを超えると、積層シート１Ａを巻き取ったときに、得られる巻取体の径（容積）が大きくなり過ぎることがある。
【００４６】
本実施形態では、図３に示すように、カット刃Ｃは基材４Ａおよび接着剤層３Ａを貫通し、剥離シート２Ａをも若干カットしているが、所望の高さの隆起部６Ａを形成することができれば、ハーフカットの深さは特に限定されず、例えば、接着剤層３Ａの底面まで又は接着剤層３Ａの途中までの深さのハーフカットであってもよいし、基材４Ａの底面まで又は基材４Ａの途中までの深さのハーフカットであってもよい。ただし、ハーフカットの深さが深すぎると、剥離シート２Ａの強度が低下し、積層シート１Ａが破断するおそれがあるため、ハーフカットによってカットされない残部の厚さを、１０μｍ以上、特に２０μｍ以上とすることが好ましい。
【００４７】
本実施形態における隆起部６Ａの平面形状は、図２に示すように波状となっているが、これに限定されるものではない。ただし、隆起部６Ａの平面形状を積層シート１Ａの長手方向と平行の直線状とすると、積層シート１Ａをロール状に巻き取って巻取体としたときに、一つの平面中にて隆起部６Ａの位置に隆起部６Ａが重なるような状態になり、外力によって巻取体が崩れやすくなるため、隆起部６Ａは、その平面形状が積層シート１Ａの長手方向に対して角度を有するように形成されることが好ましい。
【００４８】
隆起部６Ａの形成位置は、積層シート１Ａの両側端部であることが好ましく、それによって、隆起部６Ａによる効果を効果的に発揮させることができる。具体的には、隆起部６Ａの最側端部が積層シート１Ａの側端面から２０ｍｍ以内になるように、隆起部６Ａを形成することが好ましい。
【００４９】
カット刃Ｃとしては、例えば、図４に示すようなダイカットロールＲ１の外周部に設けられたものを使用することができる。この場合、積層体をダイカットロールＲ１と、ダイカットロールＲ１に対向して設けられたアンビルロールＲ２との間を通過させることにより、効率良くハーフカットを行って隆起部６Ａを形成することができる。なお、ダイカットロールＲ１は、上記カット刃Ｃとともに、基材４Ａおよび接着剤層３Ａをカバーシート部５１Ａと枕部５２Ａと残部５３Ａとに分割するハーフカット用のカット刃および／またはセンターホール部５４Ａを形成する打抜刃を備えていてもよい。
【００５０】
カット刃Ｃの刃先形状は、所望の高さの隆起部６Ａが形成されれば特に限定されるものではないが、一般的に鋭利なものよりも鈍いものの方が、高い隆起部６Ａを形成することができる。例えば、刃先角度が６０〜１００°のものが好ましく用いられる。
【００５１】
以上のようにして製造される積層シート１Ａは、図５に示すように、長尺の剥離シート２Ａと、剥離シート２Ａ剥離処理面の幅方向中央部に連続的に設けられた、接着剤層３Ａと基材４Ａとからなる複数の円盤状のカバーシート部５１Ａと、剥離シート２Ａ剥離処理面の幅方向両側部に設けられた、接着剤層３Ａと基材４Ａとからなる波状の枕部５２Ａとから構成され、枕部５２Ａの外側端部には平面視波状の隆起部６Ａが形成されている。
【００５２】
この積層シート１Ａでは、枕部５２Ａにおいて隆起部６Ａが存在する部分の厚さは、隆起部６Ａの高さの分だけ、カバーシート部５１Ａの厚さよりも厚くなっている。
【００５３】
上記積層シート１Ａを、図６に示すようにロール状に巻き取って巻取体としたとき、枕部５２Ａに形成された隆起部６Ａがスペーサとして機能するため、カバーシート部５１Ａの表面とその上に巻き重なった剥離シート２Ａの裏面との間にはわずかな間隙が生じる。そのため、カバーシート部５１Ａには、他のカバーシート部５１Ａの輪郭部分が強く押し付けられることが防止され、したがって、カバーシート部５１Ａに巻圧による痕が付くことが抑制される。
【００５４】
また、積層シート１Ａを巻き取る際に、巻き重なる積層シート１Ａの間に微細なゴミ等の異物を挟み込んでしまった場合であっても、カバーシート部５１Ａの表面と剥離シート２Ａの裏面との間には間隙が存在するため、異物の径がその間隙の大きさよりも小さければ、カバーシート部５１Ａに異物による凹みが形成されることが防止される。さらに、従来の巻取体では、異物を１つ挟み込んだ場合であっても、その影響で、巻き重なっている複数のカバーシートに凹みが形成されてしまうが、本実施形態に係る積層シート１Ａの巻取体においては、剥離シート２Ａとカバーシート部５１Ａとが巻取体の半径方向に間隙の大きさだけ変位することができるため、間隙の大きさよりも大きい径の異物がカバーシート部５１Ａ上に付着しても、その影響が他のカバーシート部５１Ａに及ぶことが抑制され、複数のカバーシート部５１Ａに異物による凹みが形成されるのを防止することができる。
【００５５】
なお、本実施形態に係る積層シート１Ａには枕部５２Ａが設けられているが、このようにカバーシート部５１Ａの厚さと同じ厚さの枕部５２Ａが設けられていることにより、積層シート１Ａ全体の剛性が確保され、積層シート１Ａを巻取体としたときに、巻取体の変形が抑制されるという利点がある。
【００５６】
以上のとおり、本実施形態に係る積層シート１Ａによれば、積層シート１Ａを巻取体としたときにカバーシート部５１Ａに形成され得る欠点を飛躍的に軽減することができる。
【００５７】
なお、上記実施形態では、基材４Ａ・接着剤層３Ａの分割およびセンターホール部５４Ａの形成（図１（ｂ））ならびに残部５３Ａの剥離除去（図１（ｃ））を、隆起部６Ａの形成（図１（ｄ））の前に行ったが、本発明はこれに限定されるものではなく、残部５３Ａの剥離除去（図１（ｃ））の前に隆起部６Ａの形成（図１（ｄ））を行ってもよいし、先に隆起部６Ａを形成してから（図１（ｄ））、基材４Ａ・接着剤層３Ａの分割およびセンターホール部５４Ａの形成（図１（ｂ））ならびに残部５３Ａの剥離除去（図１（ｃ））を行ってもよい。
【００５８】
また、上記実施形態では、枕部５２Ａの基材４Ａ表面側からハーフカットを行って枕部５２Ａの基材４Ａ表面側に隆起部６Ａを形成したが、本発明はこれに限定されるものではなく、図７に示す積層シート１Ａ’のように、剥離シート２Ａの両側端部裏面側からハーフカットを行って剥離シート２Ａの両側端部裏面側に隆起部６Ａ’を形成してもよい。かかる積層シート１Ａ’をロール状に巻き取って巻取体としたときも、剥離シート２Ａの裏面側に形成された隆起部６Ａ’がスペーサとして機能するため、カバーシート部５１Ａの表面とその上に巻き重なった剥離シート２Ａの裏面との間にはわずかな間隙が生じ、上記と同様の効果が得られる。
【００５９】
さらに、上記実施形態では、隆起部６Ａの平面形状を波状としたが、本発明はこれに限定されるものではなく、例えば、図８（ａ）に示す積層シート１１Ａのように、複数並設された×状の隆起部６１Ａとしてもよいし、図８（ｂ）に示す積層シート１２Ａのように、複数並設された斜線状の隆起部６２Ａとしてもよいし、図８（ｃ）に示す積層シート１３Ａのように、積層シート１３Ａの長手方向に対して垂直に複数並設された棒状の隆起部６３Ａとしてもよい。
【００６０】
〔第２の実施形態〕
第２の実施形態では、接着剤層表面に平滑性が要求される積層シート、例えば、接着剤層が光ディスクにおける記録層保護用のカバーシートやＰＤＡ等のディスプレイ用のフィルムを接着するために使用される積層シートを例にとって説明する。
【００６１】
図９（ａ）〜（ｄ）は本発明の第２の実施形態に係る積層シートの製造方法を示す断面図、図１０は同実施形態に係る積層シートの斜視図、図１１は同実施形態に係る積層シートの巻取体の斜視図である。
【００６２】
本実施形態に係る積層シート１Ｂを製造するには、図９（ａ）〜（ｂ）に示すように、長尺の剥離シート２Ｂの剥離処理面に、接着剤層３Ｂを形成した後、図９（ｃ）に示すように、接着剤層３Ｂの表面に基材４Ｂを圧着する。
【００６３】
剥離シート２Ｂとしては、上記第１の実施形態における剥離シート２Ａと同様のものを使用することができる。
【００６４】
接着剤層３Ｂは、剥離シート２Ｂから剥離され、基材４Ｂを所定の接着対象物に接着するために使用されるものであってもよいし、剥離シート２Ｂおよび基材４Ｂから分離され、所定の接着対象物を相互に接着するために使用されるものであってもよい。本実施形態において、接着剤層３Ｂは、その幅方向中央部が主使用部（接着剤層表面が平滑性を必要とする部分）となっている。
【００６５】
接着剤層３Ｂを構成する接着剤としては、接着剤層３Ｂまたは基材４Ｂの使用目的に応じて、様々な種類の接着剤を選択することができる。接着剤は、感圧接着剤（粘着剤）であってもよいし、硬化性接着剤であってもよい。感圧接着剤の種類としては、アクリル系、ポリエステル系、ウレタン系、ゴム系、シリコーン系等のいずれであってもよく、粘接着剤であってもよい。硬化性接着剤の種類としては、エネルギー線硬化性接着剤、熱硬化性接着剤等の輻射線硬化性接着剤などが挙げられる。
【００６６】
接着剤層３Ｂの厚さは、通常５〜１００μｍ程度であり、好ましくは１０〜３０μｍ程度である。接着剤層３Ｂの形成は、上記第１の実施形態における接着剤層３Ａの形成方法と同様の方法によって行うことができる。
【００６７】
基材４Ｂは、接着剤層３Ｂによって所定の接着対象物に接着されるものであってもよいし、接着剤層３Ｂから剥離される剥離シートであってもよい。前者の場合、基材４Ｂは、接着剤層３Ｂとともに接着シートとして使用され、その幅方向中央部が主使用部となる。
【００６８】
基材４Ｂが接着シートとして使用される場合、基材４Ｂの材料としては、基材４Ｂの使用目的に応じて、様々な種類の材料を選択することができる。例えば、基材４Ｂが光ディスク記録層のカバーシートとして使用される場合には、ポリカーボネート、ポリメチルメタクリレート、ポリスチレン等の樹脂を基材４Ｂの材料として選択することができる。また、例えば、基材４ＢがＰＤＡ等のディスプレイ用のフィルムとして使用される場合には、セルロースジアセテート、セルローストリアセテート、セルロースアセテートブチレート等のセルロースエステル、ポリエチレンテレフタレート、ポリブチレンテレフタレート等のポリエステル、ポリエチレン、ポリプロピレン等のポリオレフィン、ポリアミド、ポリイミド、ポリ塩化ビニル、ポリメタクリル酸メチル、ポリカーボネート、ポリウレタン等の樹脂を基材４Ｂの材料として選択することができ、これらの樹脂からなる基材の表面に反射防止処理や防眩処理等を施して用いることができる。
【００６９】
基材４Ｂが接着シートとして使用される場合、基材４Ｂの厚さは、基材４Ｂの使用目的に応じて決定されるが、通常は２５〜３００μｍ程度であり、好ましくは５０〜２００μｍ程度である。
【００７０】
一方、基材４Ｂが剥離シートである場合には、基材４Ｂの材料として、上記剥離シート２Ｂと同様の材料を選択することができる。ただし、この場合には、剥離シート２Ｂおよび基材４Ｂのいずれか一方を軽剥離型剥離シートとし、他方を重剥離型剥離シートとするのが好ましい。
【００７１】
上記のようにして剥離シート２Ｂと、接着剤層３Ｂと、基材４Ｂとを積層してなる積層体を作製したら、図９（ｄ）に示すように、剥離シート２Ｂを貫通しないように積層体の両側端部をハーフカットし、当該ハーフカットによる隆起部６Ｂを形成する。
【００７２】
隆起部６Ｂの形成方法およびハーフカットの深さならびに隆起部６Ｂの高さおよび平面形状は、上記第１の実施形態における隆起部６Ａと同様である。
【００７３】
上記のようにして製造される積層シート１Ｂは、図１０に示すように、長尺の剥離シート２Ｂと、剥離シート２Ｂ剥離処理面に積層され、幅方向中央部が主使用部となっている接着剤層３Ｂと、接着剤層３Ｂ上に積層された基材４Ｂとから構成され、基材４Ｂの両側端部には平面視波状の隆起部６Ｂが形成されている。
【００７４】
上記積層シート１Ｂを、図１１に示すようにロール状に巻き取って巻取体としたとき、基材４Ｂの両側端部に形成された隆起部６Ｂがスペーサとして機能し、基材４Ｂの幅方向中央部の表面とその上に巻き重なった剥離シート２Ｂの裏面との間にはわずかな間隙が生じる。そのため、接着剤層３Ｂの主使用部には、巻き重なる積層シート１Ｂが強く押し付けられることが防止される。したがって、接着剤層３Ｂの主使用部は、巻圧によってその接着剤層表面がゆず肌になることが抑制され、接着剤層３Ｂの主使用部における接着剤層表面の平滑性を保持することができる。
【００７５】
また、積層シート１Ｂを巻き取る際に、巻き重なる積層シート１Ｂの間に微細なゴミ等の異物を挟み込んでしまった場合であっても、基材４Ｂの表面と剥離シート２Ｂの裏面との間には間隙が存在するため、異物の径がその間隙の大きさよりも小さければ、基材４Ｂおよび接着剤層３Ｂに異物による凹みが形成されることが防止される。さらに、従来の巻取体では、異物を１つ挟み込んだ場合であっても、その影響で、巻き重なっている複数層の基材４Ｂおよび接着剤層３Ｂに凹みが形成されてしまうが、本実施形態に係る積層シート１Ｂの巻取体においては、剥離シート２Ｂ、接着剤層３Ｂおよび基材４Ｂが巻取体の半径方向に上記間隙の大きさだけ変位するため、間隙の大きさよりも大きい径の異物が基材４Ｂ上に付着しても、その影響が、巻き重なっている他の層の基材４Ｂおよび接着剤層３Ｂに及ぶことが抑制され、基材４Ｂおよび接着剤層３Ｂの複数箇所に異物による凹みが形成されるのを防止することができる。
【００７６】
上記のように巻取体にした積層シート１Ｂを使用するには、積層シート１Ｂを巻取体から引き出して、基材４Ｂおよび接着剤層３Ｂの主使用部を所望の形状にカットし、剥離シート２Ｂから剥離すればよい。カットは常法によって行えばよく、例えば、打ち抜き装置等を使用して行うことができる。
【００７７】
カットされた接着剤層３Ｂの接着剤層表面は平滑性が保持されているため、例えば、接着剤層３Ｂを光ディスクにおける記録層保護用のカバーシートの接着に使用した場合には、接着剤層３Ｂに起因してデータの読み書きにエラーが発生することを防止することができ、また、接着剤層３Ｂをディスプレイ用の反射防止フィルムの接着に使用した場合には、接着剤層３Ｂがディスプレイの透明性や画像の鮮明性を損なうことはない。
【００７８】
なお、上記実施形態では、基材４Ｂ表面側からハーフカットを行って基材４Ｂ表面側に隆起部６Ｂを形成したが、本発明はこれに限定されるものではなく、図１２に示す積層シート１Ｂ’のように、剥離シート２Ｂの両側端部裏面側からハーフカットを行って剥離シート２Ｂの両側端部裏面側に隆起部６Ｂ’を形成してもよい。かかる積層シート１Ｂ’をロール状に巻き取って巻取体としたときも、剥離シート２Ｂの裏面側に形成された隆起部６Ｂ’がスペーサとして機能するため、基材４Ｂの幅方向中央部の表面とその上に巻き重なった剥離シート２Ｂの裏面との間にはわずかな間隙が生じ、上記と同様の効果が得られる。
【００７９】
また、上記実施形態では、隆起部６Ｂの平面形状を波状としたが、本発明はこれに限定されるものではなく、例えば、図８（ａ）〜（ｃ）に示すような×状、斜線状、棒状等の隆起部としてもよい。
【００８０】
〔その他の実施形態〕
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８１】
例えば、積層シート１Ａにおける枕部５２Ａの形状は、幅が一定な帯状であってもよい。
【００８２】
なお、本発明では、ハーフカットにより隆起部６Ａ，６Ｂを形成したが、積層シートの両端部を変形させる方法として、積層シートの両端部を、２つの対向する歯車の間に通して凹凸を形成する方法や、レーザ、熱針等によって積層シートの両端部に孔を形成し、当該孔の周縁に隆起部を形成する方法も考えられる。しかしながら、前者の方法で製造した積層シートの巻取体では、凹部と凸部とが重なった部分でスペーサ機能がなくなって巻圧による問題が発生する場合があり、後者の方法では、積層シートの製造コストが非常に高くなるという問題がある。
【実施例】
【００８３】
以下、実施例等により本発明をさらに具体的に説明するが、本発明の範囲はこれらの実施例等に限定されるものではない。
【００８４】
〔実施例１〕
アクリル酸ｎ−ブチル９７質量部とアクリル酸２−ヒドロキシエチル３質量部とを共重合した共重合体１００質量部に対して、架橋剤としてポリイソシアネート化合物（武田薬品工業株式会社製，タケネートＤ−１４０Ｎ）を１質量部添加し、さらに溶媒としてトルエン２００質量部を加えたものを粘着剤の塗布剤とした。
【００８５】
ポリエチレンテレフタレートフィルムの片面にシリコーン系剥離剤を塗布した剥離シート（リンテック株式会社製，ＳＰ−ＰＥＴ３８１１，厚さ：３８μｍ，剥離処理面の表面粗さ（Ｒａ）：０．０２μｍ）の剥離処理面に、上記粘着剤の塗布剤を乾燥後の厚さが２５μｍになるようにナイフコーターによって塗布し、１００℃で３分間乾燥させた。このようにして形成した粘着剤層に、ポリカーボネートフィルム（帝人株式会社製，ピュアエースＣ１１０−７５，厚さ：７５μｍ）からなる基材を圧着し、幅１５０ｍｍ、長さ１００ｍの長尺の積層体を作製した。
【００８６】
次に、外周に波状のカット刃（刃先角度：６０〜９０°）を設けたダイカットロールと、ダイカットロールに対向して設けられたアンビルロールとの間に上記積層体を通過させて、剥離シートを貫通しないように、基材および粘着剤層の幅方向両端部（側端面から１０〜２０ｍｍの位置）を図２に示すように平面視波状にハーフカットし（カットされない残部の厚さ：２０μｍ）、ハーフカットによる隆起部を形成した。この隆起部の高さは、約１５〜２０μｍであった。
【００８７】
そして、打ち抜き装置（ＭａｒｋＡｎｄｙ社製，ＭａｒｋＡｎｄｙ９１０）を用いて、図２に示すように、基材および粘着剤層の幅方向中央部を、円盤状のカバーシート部（直径：１２０ｍｍ）と残部とに分割するとともに、カバーシート部の中心部を打ち抜いてセンターホール部を形成し、残部は図５に示すように剥離除去した。
【００８８】
このようにして製造した積層シートを、初期の巻取張力１２Ｎ、テーパー率５０％として直径３インチのＡＢＳ製巻芯に巻き取り、巻取体とした（図６参照）。
【００８９】
〔比較例１〕
実施例１において、積層体にダイカットロールによる隆起部形成を行わない以外、実施例１と同様にして積層シートを製造し、得られた積層シートを実施例１と同様の巻取条件で巻芯に巻き取り、巻取体とした。
【００９０】
〔試験例〕
実施例１および比較例１において巻取体とした積層シートを、２３℃、相対湿度５０％の雰囲気下に１週間放置した後、水銀灯投影法によりカバーシート部の状態を観察した。水銀灯投影法は、水銀灯（ウシオ電機株式会社製，光源：ＳＸ−０１２５０ＨＱ，水銀灯電源：Ｂ−Ｈ２５０）と白色の投影用スクリーンとの間に、剥離シートから剥離した接着シート（カバーシート部）を配置し、投影用スクリーン上の接着シートの投影を目視にて観察することにより行った。水銀灯と接着シートとの距離は１７０ｃｍ、接着シートと投影用スクリーンとの距離は３０ｃｍとした。
【００９１】
その結果、実施例１の積層シートにおけるカバーシート部には欠点は全く見られなかったが、比較例１の積層シートにおけるカバーシート部には、他のカバーシート部または枕部の輪郭の痕や、異物に起因する凹みが見られた。
【産業上の利用可能性】
【００９２】
本発明は、欠点のないことが望ましい接着シート、例えば光ディスク製造用接着シート（記録層保護用のカバーシート、案内溝・ピット等が形成されるスタンパー受容層を有するシートなど）や、接着剤層表面に平滑性が要求される接着シート、例えば、ＰＤＡ等のディスプレイ用のフィルムを接着するための接着シート等に有用である。
【図面の簡単な説明】
【００９３】
【図１】本発明の第１の実施形態に係る積層シートの製造方法を示す断面図である。
【図２】同実施形態に係る積層シートの平面図である。
【図３】同実施形態に係る積層シートにおける隆起部の拡大図である。
【図４】同実施形態に係る積層シートの製造に使用するダイカットロールの斜視図である。
【図５】同実施形態に係る積層シートの斜視図である。
【図６】同実施形態に係る積層シートの巻取体の斜視図である。
【図７】本発明の他の実施形態に係る積層シートの断面図である。
【図８】本発明の別の実施形態に係る積層シートの平面図である。
【図９】本発明の第２の実施形態に係る積層シートの製造方法を示す断面図である。
【図１０】同実施形態に係る積層シートの斜視図である。
【図１１】同実施形態に係る積層シートの巻取体の斜視図である。
【図１２】本発明の他の実施形態に係る積層シートの断面図である。
【図１３】従来の積層シートの斜視図である。
【図１４】従来の積層シートにおけるカバーシート部の平面図である。
【符号の説明】
【００９４】
１Ａ，１Ａ’，１１Ａ，１２Ａ，１３Ａ，１Ｂ，１Ｂ’，１Ｐ…積層シート
２Ａ，２Ｂ…剥離シート
３Ａ，３Ｂ…接着剤層
４Ａ，４Ｂ…基材
５１Ａ，５１Ｐ…カバーシート部（所定の形状を有する接着シート）
５２Ａ…枕部（補助シート）
５３Ａ…残部（不要部）
６Ａ，６Ａ’，６１Ａ，６２Ａ，６３Ａ，６Ｂ，６Ｂ’…隆起部
【図１】
2006224581.tif 000003
【図２】
2006224581.tif 000004
【図３】
2006224581.tif 000005
【図４】
2006224581.tif 000006
【図５】
2006224581.tif 000007
【図６】
2006224581.tif 000008
【図７】
2006224581.tif 000009
【図８】
2006224581.tif 000010
【図９】
2006224581.tif 000011
【図１０】
2006224581.tif 000012
【図１１】
2006224581.tif 000013
【図１２】
2006224581.tif 000014
【図１３】
2006224581.tif 000015
【図１４】
2006224581.tif 000016